(57)【要約】【課題】燃焼筐１内の燃焼室１ａに複数並設した偏平バーナ２からの燃焼ガスを排気ファンにより吸引して外部に排気するようにした燃焼装置であって、燃焼室の下面の仕切板３に形成した分布孔３１から燃焼室に二次空気を供給すると共に、仕切板３の前端から立ち上がる起立板４に開設した、偏平バーナの下部前端の流入口２３，２４に連通する導入口４１，４２に、ガスマニホールド６と起立板との間の空間を介して一次空気を供給するものにおいて、分布孔の個数を減少せずに、一次空気不足を解消できるようにする。【解決手段】、ガスマニホールド６と起立板４との間の空間の下部と上部を燃焼筐１の外部空間に連通する第１通気路７と第２通気路８を設ける。また、ガスマニホールド６の後面に、第１通気路７に面する前下がりに傾斜した下部の第１斜状ガイド面７１と、第２通気路８に面する前上がりに傾斜した上部の第２斜状ガイド面８１とを形成する。【選択図】図２
2018204808.tif 000002
【特許請求の範囲】
【請求項１】
燃焼筐を備え、燃焼筐内の燃焼室に、上端に前後方向に長手の炎口を有する偏平バーナが横方向に複数並設され、これら偏平バーナの炎口から噴出する混合気の燃焼で生ずる燃焼ガスを排気ファンにより吸引して外部に排気するようにした燃焼装置であって、燃焼筐内に、燃焼室の下面の仕切板と、仕切板の前端から偏平バーナの下部前端に沿って立上る起立板とが設けられ、起立板に、各偏平バーナの下部前端に開口する流入口に連通する各導入口が開設され、各導入口に臨む各ガスノズルが後面に突設されたガスマニホールドが起立板の前方に対向配置され、ガスマニホールドと起立板との間の空間から各導入口を介して各偏平バーナの流入口に一次空気が供給されると共に、仕切板に形成した多数の分布孔を介して燃焼室に二次空気が供給されるようにしたものにおいて、
ガスマニホールドと起立板との間の空間の下部を燃焼筐の外部空間に連通する第１通気路と、ガスマニホールドと起立板との間の空間の上部を燃焼筐の外部空間に連通する第２通気路とが設けられ、
ガスマニホールドの後面に、第１通気路に面する前下がりに傾斜した下部の第１斜状ガイド面と、第２通気路に面する前上がりに傾斜した上部の第２斜状ガイド面との少なくとも一方が形成されることを特徴とする燃焼装置。
【請求項２】
請求項１記載の燃焼装置であって、前記ガスマニホールドの後面に前記第１斜状ガイド面が形成されるものにおいて、前記導入口の下端近傍から前下がりに傾斜してのび、第１斜状ガイド面との間に前記第１通気路を画成する第１斜状ガイド板が設けられることを特徴とする燃焼装置。
【請求項３】
前記第１斜状ガイド面と前記第１斜状ガイド板との間の間隔は、前方に向かって広くなることを特徴とする請求項２記載の燃焼装置。
【請求項４】
前記第１斜状ガイド板の前端に、後下がりに傾斜した斜状折返し部が設けられることを特徴とする請求項２又は３記載の燃焼装置。
【請求項５】
前記第１斜状ガイド板は、前記各導入口に合致する横方向箇所の横断面形状が、前記第１斜状ガイド面から離隔する方向に弧状に湾曲していることを特徴とする請求項２〜４の何れか１項記載の燃焼装置。
【請求項６】
請求項１記載の燃焼装置であって、前記ガスマニホールドの後面に前記第１斜状ガイド面が形成されるものにおいて、第１斜状ガイド面に、前記各導入口に合致する横方向箇所に位置させて、前後方向にのびる凹溝部が形成されることを特徴とする燃焼装置。
【請求項７】
請求項１記載の燃焼装置であって、前記ガスマニホールドの後面に前記第２斜状ガイド面が形成されるものにおいて、前記導入口の上端近傍から前上がりに傾斜してのび、第２斜状ガイド面との間に前記第２通気路を画成する第２斜状ガイド板が設けられることを特徴とする燃焼装置。
【請求項８】
前記第２斜状ガイド面と前記第２斜状ガイド板との間の間隔は、前方に向かって広くなることを特徴とする請求項７記載の燃焼装置。
【請求項９】
前記第２斜状ガイド板の前端に、後上りに傾斜した斜状折返し部が設けられることを特徴とする請求項７又は８記載の燃焼装置。
【請求項１０】
前記第２斜状ガイド板は、前記各導入口に合致する横方向箇所の横断面形状が、前記第２斜状ガイド面から離隔する方向に弧状に湾曲していることを特徴とする請求項７〜９の何れか１項記載の燃焼装置。
【請求項１１】
請求項１記載の燃焼装置であって、前記ガスマニホールドの後面に前記第２斜状ガイド面が形成されるものにおいて、第２斜状ガイド面に、前記各導入口に合致する横方向箇所に位置させて、前後方向にのびる凹溝部が形成されることを特徴とする燃焼装置。
【請求項１２】
請求項１記載の燃焼装置であって、前記ガスマニホールドの後面に前記第２斜状ガイド面が形成され、前記偏平バーナが、前記炎口部として、理論空燃比よりも燃料濃度の希薄な淡混合気を噴出する淡炎口と、淡混合気よりも燃料濃度の濃い濃混合気を噴出する濃炎口とを有し、前記流入口として、淡炎口用の淡流入口と、淡流入口の上方に位置する濃炎口用の濃流入口とを有する濃淡バーナで構成され、前記起立板に、前記導入口として、淡流入口に連通する淡導入口と、濃流入口に連通する濃導入口とが開設され、前記ガスマニホールドの後面に、前記ガスノズルとして、淡導入口に臨む淡ガスノズルと、濃導入口に臨む濃ガスノズルとが突設されるものにおいて、第２斜状ガイド面に、横方向に隣接する各濃導入口間の間隔部分に合致する横方向箇所に位置させて、前後方向にのびる凹溝部が形成されることを特徴とする燃焼装置。
【発明の詳細な説明】
【技術分野】
【０００１】
本発明は、燃焼筐を備え、燃焼筐内の燃焼室に、上端に前後方向に長手の炎口を有する偏平バーナが横方向に複数並設され、これら偏平バーナの炎口から噴出する混合気の燃焼で生ずる燃焼ガスを排気ファンにより吸引して外部に排気するようにした燃焼装置に関する。
【背景技術】
【０００２】
従来、この種の燃焼装置として、特許文献１により、燃焼筐内に、燃焼室の下面の仕切板と、仕切板の前端から偏平バーナの下部前端に沿って立上る起立板とが設けられ、起立板に、各偏平バーナの下部前端に開口する流入口に連通する各導入口が開設され、各導入口に臨む各ガスノズルが後面に突設されたガスマニホールドが起立板の前方に対向配置され、ガスマニホールドと起立板との間の空間から各導入口を介して各偏平バーナの流入口に一次空気が供給されると共に、仕切板に形成した多数の分布孔を介して燃焼室に二次空気が供給されるようにしたものが知られている。また、このものでは、燃焼筐に、仕切板の下方に位置する底板を設けて、底板と仕切板との間に、底板に開設した給気口を介して燃焼筐の外部空間に連通する給気室を画成し、この給気室にガスマニホールドと起立板との間の空間を連通させている。
【０００３】
上記従来例のものでは、排気ファンによる吸引力で給気室内の空気が分布孔を介して燃焼室に二次空気として供給されやすく、給気室からガスマニホールドと起立板との間の空間を経由して偏平バーナの流入口に供給される一次空気が不足しやすくなる。給気室内の空気のうち二次空気として供給される割合を減少させて、一次空気不足を解消するには、分布孔の個数を減少させる必要がある。然し、これでは、通気抵抗が増加するため、ファン回転数を高くすることが必要になり、消費電力が増加すると共にファン騒音が増大してしまう。
【先行技術文献】
【特許文献】
【０００４】
【特許文献１】特開２０１６−２９３１６号公報
【発明の概要】
【発明が解決しようとする課題】
【０００５】
本発明は、以上の点に鑑み、分布孔の個数を減少せずに、一次空気不足を解消できるようにした燃焼装置を提供することをその課題としている。
【課題を解決するための手段】
【０００６】
上記課題を解決するために、本発明は、燃焼筐を備え、燃焼筐内の燃焼室に、上端に前後方向に長手の炎口部を有する偏平バーナが横方向に複数並設され、これら偏平バーナの炎口部から噴出する混合気の燃焼で生ずる燃焼ガスを排気ファンにより吸引して外部に排気するようにした燃焼装置であって、燃焼筐内に、燃焼室の下面の仕切板と、仕切板の前端から偏平バーナの下部前端に沿って立上る起立板とが設けられ、起立板に、各偏平バーナの下部前端に開口する流入口に連通する各導入口が開設され、各導入口に臨む各ガスノズルが後面に突設されたガスマニホールドが起立板の前方に対向配置され、ガスマニホールドと起立板との間の空間から各導入口を介して各偏平バーナの流入口に一次空気が供給されると共に、仕切板に形成した多数の分布孔を介して燃焼室に二次空気が供給されるようにしたものにおいて、ガスマニホールドと起立板との間の空間の下部を燃焼筐の外部空間に連通する第１通気路と、ガスマニホールドと起立板との間の空間の上部を燃焼筐の外部空間に連通する第２通気路とが設けられ、ガスマニホールドの後面に、第１通気路に面する前下がりに傾斜した下部の第１斜状ガイド面と、第２通気路に面する前上がりに傾斜した上部の第２斜状ガイド面との少なくとも一方が形成されることを特徴とする。
【０００７】
本発明によれば、ガスマニホールドと起立板との間の空間が第１と第２の各通気路を介して燃焼筐の外部空間に連通するため、分布孔を介して作用する排気ファンによる吸引力の影響を受けることなく、燃焼筐の外部空間から各通気路を介してガスマニホールドと起立板との間の空間に空気が流入し、この空間から導入口を介して偏平バーナの流入口に一次空気が供給される。そして、第１と第２の少なくとも一方の通気路から流入する一次空気が第１と第２の少なくとも一方の斜状ガイド面に沿って導入口に向うように流れ、偏平バーナの流入口に一次空気がスムーズに供給される。従って、仕切板に形成する分布孔の個数を減少せずに、一次空気不足を解消できる。その結果、排気ファンの回転数を高くせずに済み、消費電力の増加やファン騒音の増大といった不具合を防止できる。
【０００８】
また、本発明において、ガスマニホールドの後面に第１斜状ガイド面を形成する場合は、導入口の下端近傍から前下がりに傾斜してのび、第１斜状ガイド面との間に第１通気路を画成する第１斜状ガイド板を設けることが望ましく、また、ガスマニホールドの後面に第２斜状ガイド面を形成する場合は、導入口の上端近傍から前上がりに傾斜してのび、第２斜状ガイド面との間に第２通気路を画成する第２斜状ガイド板を設けることが望ましい。これによれば、第１と第２の各通気路から導入口に向けてよりスムーズに一次空気を流すことができる。
【０００９】
この場合、第１斜状ガイド面と第１斜状ガイド板との間の間隔と、第２斜状ガイド面と第２斜状ガイド板との間の間隔との少なくとも一方の間隔は、前方に向かって広くなることが望ましい。これによれば、前方に向かって広くなる間隔に、より多くの一次空気が流入し、偏平バーナの流入口に供給される一次空気量を増やすことができる。
【００１０】
また、第１斜状ガイド板の前端に、後下がりに傾斜した斜状折返し部を設けたり、第２斜状ガイド板の前端に、後上りに傾斜した斜状折返し部を設けたりしてもよい。これによれば、第１通気路や第２通気路に、下方や上方から斜状折返し部に案内させてより多くの一次空気を流入させることができる。
【００１１】
更に、第１斜状ガイド板と第２斜状ガイド板との少なくとも一方の斜状ガイド板は、各導入口に合致する横方向箇所の横断面形状が、第１と第２の斜状ガイド面のうち当該斜状ガイド板に対向する斜状ガイド面から離隔する方向に弧状に湾曲していることが望ましい。これによれば、斜状ガイド板の各弧状湾曲形状部に沿って各導入口にスムーズに一次空気を流すことができる。
【００１２】
また、第１斜状ガイド面と第２斜状ガイド面との少なくとも一方の斜状ガイド面に、各導入口に合致する横方向箇所に位置させて、前後方向にのびる凹溝部を形成してもよい。これによれば、各凹溝部に沿って各導入口にスムーズに一次空気を流すことができる。
【００１３】
また、本発明において、ガスマニホールドの後面に第２斜状ガイド面が形成され、偏平バーナが、炎口部として、理論空燃比よりも燃料濃度の希薄な淡混合気を噴出する淡炎口と、淡混合気よりも燃料濃度の濃い濃混合気を噴出する濃炎口とを有し、流入口として、淡炎口用の淡流入口と、淡流入口の上方に位置する濃炎口用の濃流入口とを有する濃淡バーナで構成され、起立板に、導入口として、淡流入口に連通する淡導入口と、濃流入口に連通する濃導入口とが開設され、ガスマニホールドの後面に、ガスノズルとして、淡導入口に臨む淡ガスノズルと、濃導入口に臨む濃ガスノズルとが突設される場合には、第２斜状ガイド面に、横方向に隣接する各濃導入口間の間隔部分に合致する横方向箇所に位置させて、前後方向にのびる凹溝部を形成してもよい。これによれば、第２通気路から淡導入口に向かう一次空気の量が増加し、濃導入口を介して濃流入口に供給される一次空気の量を減少させることができる。
【図面の簡単な説明】
【００１４】
【図１】本発明の第１実施形態の燃焼装置の斜視図。
【図２】図１のＩＩ−ＩＩ線で切断した切断側面図。
【図３】実施形態の燃焼装置で使用する偏平バーナの上部の拡大断面図。
【図４】第２実施形態の燃焼装置の要部の切断側面図。
【図５】第３実施形態の燃焼装置の要部の切断側面図。
【図６】第３実施形態の燃焼装置のガスマニホールドを取外した状態の要部の斜視図。
【図７】第４実施形態の燃焼装置の要部の切断側面図。
【図８】第４実施形態の燃焼装置で使用するガスマニホールドの斜視図。
【図９】第５実施形態の燃焼装置の要部の切断側面図。
【図１０】第５実施形態の燃焼装置で使用するガスマニホールドの斜視図。
【発明を実施するための形態】
【００１５】
図１、図２を参照して、本発明の実施形態の燃焼装置は、燃焼筐１を備えている。燃焼筐１内の燃焼室１ａには、上端の前後方向に長手の炎口と、下部前端に開口する流入口とを有する偏平バーナ２が横方向に複数並設されている。また、燃焼筐１の前面上部の前板部１１には、偏平バーナ２の上方に臨む点火電極１２及びフレームロッド１３と、覗き窓１４とが設けられている。尚、図示しないが、偏平バーナ２の炎口から噴出する混合気の燃焼で生ずる燃焼ガスは、熱交換器を経由した後、排気ファンにより吸引して外部に排気される。
【００１６】
本実施形態の偏平バーナ２は、炎口として、図３に示す如く、理論空燃比よりも燃料濃度が希薄な淡混合気を噴出する淡炎口２１と、淡炎口２１の横方向両側に位置し、淡混合気よりも燃料濃度が濃い濃混合気を噴出する濃炎口２２とを有し、流入口として、淡炎口２１用の淡流入口２３と、淡流入口２３の上方に位置する濃炎口２２用の濃流入口２４とを有する濃淡バーナで構成されている。淡炎口２１内には、複数の整流板２１ａが装着されている。また、淡炎口２１の両側部には、濃炎口２２との間に位置させて、混合気が噴出しない還流域２１ｂが設けられている。
【００１７】
燃焼筐１内には、燃焼室１ａの下面の仕切板３と、仕切板３の前端から偏平バーナ２の下部前端に沿って立上る起立板４とが設けられている。仕切板３には、多数の分布孔３１が形成されている。そして、排気ファンによる吸引力でこれら分布孔３１を介して燃焼室１ａに二次空気が供給されるようにしている。尚、本実施形態では、仕切板３の下方に位置する燃焼筐１の底面が開放されているが、底面を底板で閉塞して、底板に開設した給気口から流入する空気が分布孔３１を介して二次空気として燃焼室１ａに供給されるようにしてもよい。
【００１８】
起立板４には、各偏平バーナ２の淡流入口２３と濃流入口２４に夫々連通する淡導入口４１と濃導入口４２とが開設されている。尚、起立板４の前面には、淡導入口４１及び濃導入口４２に重なる開口部を有するダンパ板５が取付けられている。また、起立板４の上端は、前方に屈曲して前板部１１の下端に達している。
【００１９】
起立板４の前方にはガスマニホールド６が対向配置されている。ガスマニホールド６の後面には、各淡導入口４１に臨む各淡ガスノズル６１と、各濃導入口４２に臨む各濃ガスノズル６２とが突設されている。そして、各淡ガスノズル６１から噴射された燃料ガスが各淡導入口４１を介して各偏平バーナ２の淡流入口２３に供給されると共に、ガスマニホールド６と起立板４との間の空間から各淡導入口４１を介して各偏平バーナ２の淡流入口２３に一次空気が供給され、淡流入口２３に連なる偏平バーナ２内の混合通路での燃料ガスと一次空気の混合で生成される淡混合気が淡炎口２１から噴出する。また、各濃ガスノズル６２から噴射された燃料ガスが各濃導入口４２を介して各偏平バーナ２の濃流入口２４に供給されると共に、ガスマニホールド６と起立板４との間の空間から各濃導入口４２を介して各偏平バーナ２の濃流入口２４に一次空気が供給され、濃流入口２４に連なる偏平バーナ２内の混合通路での燃料ガスと一次空気との混合で生成される濃混合気が濃炎口２２から噴出する。
【００２０】
ここで、本実施形態では、ガスマニホールド６と起立板４との間の空間の下部を燃焼筐１の外部空間に連通する第１通気路７と、ガスマニホールド６と起立板４との間の空間の上部を燃焼筐１の外部空間に連通する第２通気路８とを設けている。また、ガスマニホールド６の後面に、第１通気路７に面する前下がりに傾斜した下部の第１斜状ガイド面７１と、第２通気路８に面する前上がりに傾斜した上部の第２斜状ガイド面８１とを形成している。
【００２１】
これによれば、ガスマニホールド６と起立板４との間の空間が第１と第２の各通気路７，８を介して燃焼筐１の外部空間に連通するため、分布孔３１を介して作用する排気ファンによる吸引力の影響を受けることなく、燃焼筐１の外部空間から各通気路７，８を介してガスマニホールド６と起立板４との間の空間に空気が流入し、この空間から淡と濃の各導入口４１，４２を介して偏平バーナ２の淡と濃の各流入口２３，２４に一次空気が供給される。そして、第１と第２の各通気路７，８から流入する一次空気が第１と第２の各斜状ガイド面７１，８１に沿って淡と濃の各導入口４１，４２に向うように流れ、これら各導入口４１，４２を介して偏平バーナ２の淡と濃の各流入口２３，２４に一次空気がスムーズに供給される。従って、仕切板３に形成する分布孔３１の個数を減少せずに、一次空気不足を解消できる。その結果、排気ファンの回転数を高くせずに済み、消費電力の増加やファン騒音の増大といった不具合を防止できる。
【００２２】
更に、本実施形態では、起立板４に開設する導入口の下端近傍、具体的には、下方に位置する淡導入口４１の下端近傍から前下がりに傾斜してのび、第１斜状ガイド面７１との間に第１通気路７を画成する第１斜状ガイド板７２と、起立板４に開設する導入口の上端近傍、具体的には、上方に位置する濃導入口４２の上端近傍から前上がりに傾斜してのび、第２斜状ガイド面８１との間に第２通気路８を画成する第２斜状ガイド板８２とを設けている。これによれば、第１と第２の各通気路７，８から淡と濃の各導入口４１，４２に向けてよりスムーズに一次空気を流すことができる。尚、本実施形態では、部品点数削減のため、第１と第２の両斜状ガイド板７２，８２をダンパ板５に一体に形成している。
【００２３】
また、第１斜状ガイド面７１と第１斜状ガイド板７２との間の間隔は、前方に向かって広くなっている。これによれば、第１通気路７に流入する一次空気の量が増加し、偏平バーナ２の淡流入口２３に供給される一次空気量を増やすことができる。尚、第２斜状ガイド面８１と第２斜状ガイド板８２との間の間隔を前方に向かって広くし、偏平バーナ２の濃流入口２４に供給される一次空気量を増やすことも可能である。
【００２４】
更に、第１斜状ガイド板７２の前端に、後下がり傾斜した斜状折返し部７２１を設けると共に、第２斜状ガイド板８２の前端に、後上りに傾斜した斜状折返し部８２１を設けている。これによれば、第１通気路７に、下方から斜状折返し部７２１に案内させてより多くの一次空気を流入させることができると共に、第２通気路８にも、上方から斜状折返し部８２１に案内させてより多くの一次空気を流入させることができる。
【００２５】
ところで、上記第１実施形態では、淡ガスノズル６１が淡導入口４１の上下方向中央に臨むように設けられているが、図４に示す第２実施形態の如く、淡ガスノズル６１の位置を第１実施形態のものより上方にずらしてもよい。これによれば、淡ガスノズル６１の下方位置で淡導入口４１に一次空気が入りやすくなり、淡流入口２３に供給される一次空気量を増やすことができる。尚、濃ガスノズル６２の位置を下方にずらして、濃流入口２４に供給される一次空気量を増やすことも可能である。
【００２６】
次に、図５、図６に示す第３実施形態について説明する。第３実施形態では、第１斜状ガイド板７２の各淡導入口４１に合致する横方向箇所の横断面形状を、第１斜状ガイド板７２に対向する第１斜状ガイド面７１から離隔する方向に弧状に湾曲したものにし、第２斜状ガイド板８２の各濃導入口４２に合致する横方向箇所の横断面形状も、第２斜状ガイド板８２に対向する第１斜状ガイド面８１から離隔する方向に弧状に湾曲したものにしている。これによれば、第１と第２の斜状ガイド板７２，８２の各弧状湾曲形状部７２２，８２２に沿って淡と濃の各導入口４１，４２にスムーズに一次空気を流すことができる。尚、第１斜状ガイド板７２と第２斜状ガイド板８２との一方のみを第３実施形態の形状に形成してもよい。
【００２７】
次に、図７、図８に示す第４実施形態について説明する。第４実施形態では、第１斜状ガイド面７１に、各淡導入口４１に合致する横方向箇所、即ち、各淡ガスノズル６１に合致する横方向箇所に位置させて、前後方向にのびる凹溝部７１１を形成している。これによれば、各凹溝部７１１に沿って各淡導入口４１にスムーズに一次空気を流すことができる。尚、第２斜状ガイド面８１に、各濃導入口４２に合致する横方向箇所に位置させて、前後方向にのびる凹溝部を形成してもよい。これによれば、各濃導入口４２にスムーズに一次空気を流すことができる。
【００２８】
次に、図９、図１０に示す第５実施形態について説明する。第５実施形態では、第２斜状ガイド面８１に、横方向に隣接する各濃導入口４２，４２間の間隔部分に合致する横方向箇所、即ち、横方向に隣接する各濃ガスノズル６２，６２間の間隔部分に合致する横方向箇所に位置させて、前後方向にのびる凹溝部８１１を形成している。これによれば、凹溝部８１１に沿って流れた一次空気が下方の淡導入口４１に向かいやすくなる。そのため、第２通気路８から淡導入口４１に向かう一次空気の量が増加し、濃導入口４２を介して濃流入口２４に供給される一次空気の量を減少させることができる。これにより、濃混合気の空燃比を適切に調節できる。
【００２９】
以上、本発明の実施形態について図面を参照して説明したが、本発明はこれに限定されない。例えば、上記実施形態では、ガスマニホールド６の後面に、第１と第２の両斜状ガイド面７１，８１を形成しているが、第１斜状ガイド面７１と第２斜状ガイド面８１との一方のみを形成することも可能である。また、上記実施形態では、偏平バーナ２を濃淡バーナで構成しているが、通常のブンゼン式バーナで偏平バーナを構成してもよい。この場合、起立板４に、各偏平バーナの下部前端に開口する単一の流入口に連通する導入口を開設し、この導入口に第１と第２の各通気路７，８を介して一次空気が向かうようにすればよい。
【符号の説明】
【００３０】
１…燃焼筐、１ａ…燃焼室、２…偏平バーナ、２１…淡炎口、２２…濃炎口、２３…淡流入口、２４…濃流入口、３…仕切板、３１…分布孔、４…起立板、４１…淡導入口、４２…濃導入口、６…ガスマニホールド、６１…淡ガスノズル、６２…濃ガスノズル、７…第１通気路、７１…第１斜状ガイド面、７１１…凹溝部、７２…第１斜状ガイド板、７２１…斜状折返し部、７２２…弧状湾曲形状部、８…第２通気路、８１…第２斜状ガイド面、８１１…凹溝部、８２…第２斜状ガイド板、８２１…斜状折返し部、８２２…弧状湾曲形状部。
【図１】
2018204808.tif 000003
【図２】
2018204808.tif 000004
【図３】
2018204808.tif 000005
【図４】
2018204808.tif 000006
【図５】
2018204808.tif 000007
【図６】
2018204808.tif 000008
【図７】
2018204808.tif 000009
【図８】
2018204808.tif 000010
【図９】
2018204808.tif 000011
【図１０】
2018204808.tif 000012